(57)【要約】【課題】砂地等の河川や海岸に付設させる堤体などの構造物の下方から砂等が吸い出されて該構造物が崩壊するのを防止する。【解決手段】本発明の土木用包装体Ａは、網材で形成された袋体１内部を横断するように、網材で形成された仕切部材２により複数の小部屋３に区画され、これら区画された小部屋３のそれぞれに割栗石、砂利などの充填材４が充填され、充填材４が充填された袋体１は閉じられているものである。【選択図】図１
2010090643.tif 000002
【特許請求の範囲】
【請求項１】
砂地等の河川や海岸に付設させる堤体などの構造物の下方に敷設する土木用包装体であって、
網材で形成された袋体内部を横断するように、網材で形成された仕切部材により複数の小部屋に区画され、これら区画された小部屋のそれぞれに割栗石、砂利などの充填材が充填され、前記充填材が充填された前記袋体は閉じられていることを特徴とする土木用包装体。
【請求項２】
小部屋は略三角柱状または略四角柱状であって軸方向に長手形状であり、前記小部屋どうしは短手方向において隣り合っていることを特徴とする請求項１記載の土木用包装体。
【請求項３】
請求項１または２記載の土木用包装体を少なくとも２個以上連結して用いることができる土木用包装体であって、
袋体の一端部には係止部材が設けられ、前記袋体の前記一端部とは反対側の他端部には他の土木用包装体の係止部材に係止可能な被係止部材が設けられ、
隣接する土木用包装体どうしを面接触させて係止できるものであることを特徴とする土木用包装体。
【請求項４】
砂地等の河川や海岸に付設させる堤体などの構造物の下方に敷設する土木用包装体であって、
網材で形成された小袋の中に割栗石、砂利などの充填材が充填され、前記充填材が充填された前記小袋が閉じられたものを包装体とし、この包装体を複数個直列に連結して隣り合う前記包装体どうしが面状に接合されていることを特徴とする土木用包装体。
【請求項５】
包装体は略三角柱状または略四角柱状であって軸方向に長手形状であり、前記包装体どうしは短手方向において隣り合っていることを特徴とする請求項４記載の土木用包装体。
【請求項６】
請求項４または５記載の土木用包装体を少なくとも２個以上連結して用いることができる土木用包装体であって、
該土木用包装体の一端部には係止部材が設けられ、前記土木用包装体の前記一端部とは反対側の他端部には他の土木用包装体の係止部材に係止可能な被係止部材が設けられ、
隣接する土木用包装体どうしを面接触させて係止できるものであることを特徴とする土木用包装体。
【請求項７】
砂地等の河川や海岸に付設させる堤体などの構造物の下方に敷設され、請求項１〜６のいずれかに記載の土木用包装体を一個または複数個連結して用いる水底敷設物であって、
端部に位置する前記土木用包装体には端部包装体が接続され、この端部包装体は、網材で形成された外装部材と、この外装部材の内部に充填され、前記土木用包装体に充填されている充填材の粒径よりも大きな粒径の端部充填材とを有することを特徴とする水底敷設物。
【発明の詳細な説明】
【技術分野】
【０００１】
本発明は、堤体などの構造物の下に敷設する土木用包装体および水底敷設物に係り、特に、構造物下方の砂等の吸出しを防止し、該構造物の沈下を防ぐものに関する。
【背景技術】
【０００２】
近年、護岸の崩壊や砂浜の減少による海岸付近への越波災害が問題となっている。特に、堤体（離岸堤、混成堤、垂直護岸等）などの構造物の崩壊にあっては、水理模型実験の結果、構造物直下の砂等の吸出しが主因であることが判明した。
【０００３】
このような砂等の吸出しを抑制するものとして、例えば、袋の口と底部とを結ぶように縫い合わせた部分を複数有し、それを縫合線とした網袋に中詰材を充填し、口を閉じたものを連筒型被覆材とし、この連筒型被覆材を消波ブロック（構造物）の下に敷設して砂の吸出しを防止する方法が提案されている（特許文献１の図１、図２、図７等参照）。
【特許文献１】特開２００３−１７１９２３号公報
【発明の開示】
【発明が解決しようとする課題】
【０００４】
しかしながら、上述したような連筒型被覆材にあっては、袋材に縫合線を設け、線状に縫い合わせて網袋を形成しているため、隣り合う網袋と網袋の間はくびれて厚さが薄くなっているものであり、この薄くなった部位を介して砂等の吸出しが起こったり、連筒型被覆材上に載置される構造物の荷重により網袋の圧縮変形が起こって網目の拡張や破網を生じ、この部位から砂等の吸出しが発生したり、更には、圧縮変形に伴って構造物の沈下も起こるという問題点があった。
【０００５】
本発明は、上述した問題点を解決するためになされたものである。
【課題を解決するための手段】
【０００６】
請求項１に係る発明は、砂地等の河川や海岸に付設させる堤体などの構造物の下方に敷設する土木用包装体であって、網材で形成された袋体内部を横断するように、網材で形成された仕切部材により複数の小部屋に区画され、これら区画された小部屋のそれぞれに割栗石、砂利などの充填材が充填され、前記充填材が充填された前記袋体は閉じられている土木用包装体である。
【０００７】
請求項２に係る発明は、請求項１記載の土木用包装体において、小部屋は略三角柱状または略四角柱状であって軸方向に長手形状であり、前記小部屋どうしは短手方向において隣り合っているものである。
【０００８】
請求項３に係る発明は、請求項１または２記載の土木用包装体を少なくとも２個以上連結して用いることができる土木用包装体であって、袋体の一端部には係止部材が設けられ、前記袋体の前記一端部とは反対側の他端部には他の土木用包装体の係止部材に係止可能な被係止部材が設けられ、隣接する土木用包装体どうしを面接触させて係止できるものである土木用包装体である。
【０００９】
請求項４に係る発明は、砂地等の河川や海岸に付設させる堤体などの構造物の下方に敷設する土木用包装体であって、網材で形成された小袋の中に割栗石、砂利などの充填材が充填され、前記充填材が充填された前記小袋が閉じられたものを包装体とし、この包装体を複数個直列に連結して隣り合う前記包装体どうしが面状に接合されている土木用包装体である。
【００１０】
請求項５に係る発明は、請求項４記載の土木用包装体において、包装体は略三角柱状または略四角柱状であって軸方向に長手形状であり、前記包装体どうしは短手方向において隣り合っているものである。
【００１１】
請求項６に係る発明は、請求項４または５記載の土木用包装体を少なくとも２個以上連結して用いることができる土木用包装体であって、該土木用包装体の一端部には係止部材が設けられ、前記土木用包装体の前記一端部とは反対側の他端部には他の土木用包装体の係止部材に係止可能な被係止部材が設けられ、隣接する土木用包装体どうしを面接触させて係止できるものである土木用包装体である。
【００１２】
請求項７に係る発明は、砂地等の河川や海岸に付設させる堤体などの構造物の下方に敷設され、請求項１〜６のいずれかに記載の土木用包装体を一個または複数個連結して用いる水底敷設物であって、端部に位置する前記土木用包装体には端部包装体が接続され、この端部包装体は、網材で形成された外装部材と、この外装部材の内部に充填され、前記土木用包装体に充填されている充填材の粒径よりも大きな粒径の端部充填材とを有する水底敷設物である。
【発明の効果】
【００１３】
請求項１に記載の土木用包装体によれば、砂地等の河川や海岸に付設させる堤体などの構造物の下方に敷設する土木用包装体であって、網材で形成された袋体内部を横断するように、網材で形成された仕切部材により複数の小部屋に区画され、これら区画された小部屋のそれぞれに割栗石、砂利などの充填材が充填され、前記充填材が充填された前記袋体は閉じられているため、隣り合う小部屋の間を介して構造体下方の砂等が吸い出されるのを防止することができ、この吸出しにより該土木用包装体の上に載置される構造物が沈下して崩壊するのを防ぐことができる。
【００１４】
請求項２に記載の発明によれば、請求項１記載の土木用包装体の効果に加え、小部屋は略三角柱状または略四角柱状であって軸方向に長手形状であり、前記小部屋どうしは短手方向において隣り合っているため、土木用包装体上に構造物を載置したとき、小部屋が圧縮されて変形するのを防止することができ、構造物が沈下するのを抑制することができる。
【００１５】
請求項３に記載の土木用包装体によれば、請求項１または２記載の土木用包装体を少なくとも２個以上連結して用いることができる土木用包装体であって、袋体の一端部には係止部材が設けられ、前記袋体の前記一端部とは反対側の他端部には他の土木用包装体の係止部材に係止可能な被係止部材が設けられているため、土木用包装体どうしを連結して上方に載置される構造物の形状に見合った大きさのものにすることができ、しかも、隣接する土木用包装体どうしを面接触させて係止できるものであるため、該隣接する土木用包装体の間を介して構造体下方の砂等が吸い出されるのを防止することができる。
【００１６】
請求項４に記載の土木用包装体によれば、砂地等の河川や海岸に付設させる堤体などの構造物の下方に敷設する土木用包装体であって、網材で形成された小袋の中に割栗石、砂利などの充填材が充填され、前記充填材が充填された前記小袋が閉じられたものを包装体とし、この包装体を複数個直列に連結して隣り合う前記包装体どうしが面状に接合されているため、隣り合う包装体の間を介して構造体下方の砂等が吸い出されるのを防止することができ、この吸出しにより該土木用包装体の上に載置される構造物が沈下して崩壊するのを防ぐことができる。
【００１７】
請求項５に記載の発明によれば、請求項４記載の土木用包装体の効果に加え、包装体は略三角柱状または略四角柱状であって軸方向に長手形状であり、前記包装体どうしは短手方向において隣り合っているため、土木用包装体上に構造物を載置したとき、包装体が圧縮されて変形するのを防止することができ、構造物が沈下するのを抑制することができる。
【００１８】
請求項６に記載の土木用包装体によれば、請求項４または５記載の土木用包装体を少なくとも２個以上連結して用いることができる土木用包装体であって、該土木用包装体の一端部には係止部材が設けられ、前記土木用包装体の前記一端部とは反対側の他端部には他の土木用包装体の係止部材に係止可能な被係止部材が設けられているため、土木用包装体どうしを連結して上方に載置される構造物の形状に見合った大きさのものにすることができ、しかも、隣接する土木用包装体どうしを面接触させて係止できるものであるため、該隣接する土木用包装体の間を介して構造体下方の砂等が吸い出されるのを防止することができる。
【００１９】
従来の水底敷設物にあっては、該水底敷設物の端部において洗掘が発生し、この洗掘部において水底敷設物の下側に水流が回り込んで砂等が吸い出され、構造物の沈下を招くこともあった。しかしながら、請求項７記載の水底敷設物によれば、請求項１〜６のいずれかに記載の土木用包装体を一個または複数個連結して用いる水底敷設物であって、端部に位置する前記土木用包装体には端部包装体が接続され、この端部包装体は、網材で形成された外装部材と、この外装部材の内部に充填され、前記土木用包装体に充填されている充填材の粒径よりも大きな粒径の端部充填材とを有するため、請求項１〜６記載の土木用包装体による隣り合う小部屋の間を介した砂等の吸出し防止の効果に加え、洗掘部において端部包装体自身が迅速に沈降して水底へ追従し、土木用包装体を水底に迅速かつ確実に導いて水流の水底敷設物下側への回り込み及びこれに伴う砂等の吸出しを防止することができ、構造物の沈下をより一層防ぐことができる。
【発明を実施するための最良の形態】
【００２０】
本発明の第１の実施例を、図１、図２を参照して説明する。図１において、Ａは土木用包装体を示しており、土木用包装体Ａは、砂地等の河川や海岸に付設させる堤体（離岸堤、混成堤、垂直護岸等）などの構造物の下方に敷設するものであって、概略的に、袋体１と仕切部材２と充填材４とにより構成されている。なお、本発明において、砂等とは、砂もしくは礫またはこれらの混合物をいい、砂地等とは、砂等により形成された地をいうものとする。
【００２１】
袋体１は、後記する充填材４を充填するもので、網材で形成されている。この網材の材料は、強さ、伸び、耐剪断性に優れていればよく、例えば、ポリエステル、ナイロン、ビニロン、ポリエチレン、ポリプロピレン、ポリアラミド、炭素繊維等により形成される。
【００２２】
また、網材の編網は土木用包装体Ａの作製時、施工時、施工後において、破網や解れが生じ難いようなものであればよく、蛙又網、ラッセル網、無結節網等により編網することができるが、衝撃吸収性や解れ難さを考慮するとラッセル網とするのが好ましい。
【００２３】
また、網目形状は、袋体の形態が維持でき、耐剪断性に優れていればよく、三角形、四角形、六角形、菱形等いかなる形状でも構わないが、形態の安定性や作製のし易さを考慮すると四角形とするのが好ましく、その大きさは、充填材４がこぼれ出ないように保持できる程度に形成される。
【００２４】
仕切部材２は、袋体１内部を横断するように設けられ、該袋体１内部を複数の小部屋３、３、・・に区画するもので、網材で形成されている。ここで、仕切部材２により袋体１を区画したのは、袋体１にくびれができないように小部屋３を形成し、くびれの部位を介した砂等の吸出しを生じさせないためである。なお、仕切部材２の網材の材料、構造および網目形状は、前述の袋体１のものと同じであるため、詳細な説明は省略する。
【００２５】
充填材４は、前述の区画された小部屋３、３、・・のそれぞれに充填され、河川や海岸の水底の砂等が袋体１を介して吸い出されるのを防止するもので、例えば、割栗石、砂利、玉石などである。また、この充填材４の大きさは、水流の通過を許容し、土木用包装体にかかる揚圧力の発生を抑制するという点をも加味すると、粒径が２０〜２００ｍｍ程度であることが好ましい。
【００２６】
ところで、前述の小部屋３は、図１（ａ）、（ｂ）に示したように、略三角柱状、または、図３（ａ）、（ｂ）に示したように、略四角柱状であって軸方向に長手形状であり、小部屋３、３どうしは短手方向において隣り合う構成とするのが好ましい。これは、小部屋３の短手方向の断面形状を三角形状または四角形状にすることにより、他の形状のものに比べ耐剪断性が向上し、土木用包装体Ａ上に構造物を載置したとき、小部屋３が圧縮されて変形するのをより一層防止することができ、構造物が沈下するのを抑制することができるためである。
【００２７】
次に、上述した土木用包装体Ａの作製方法について、図２を参照して説明する。まず、仕切部材２により袋体１を区画して小部屋３、３、・・を形成するもので、例えば、図２（ａ）に示したように、内部が直方体形状の空間を有する袋体１の内部に連続した山折り状の仕切部材２を挿入し、仕切部材２の端部、山部および谷部と、袋体１とをそれぞれ接続する。この接続は、例えば縫合用ロープ（不図示）により縫合して行われるが、袋体１および仕切部材２の両者が熱溶着性樹脂で形成されている場合にあっては加熱溶着するなど他の方法で行っても構わない。
【００２８】
そして、図２（ｂ）に示したように、例えば、立設した枠体Ｗの中に上述の袋体１を差し入れて固定し、各小部屋３内に充填材４を投入する。なお、この投入にあっては、図示していないが、袋体１の開口部に充填材４の投入口を挿入し、該充填材４を投入するようにしてもよい。また、袋体１内に投入される充填材４は、最密状態となるようにするのが土木用包装体Ａの圧縮変形を防止する点でより好ましい。
【００２９】
そして、図２（ｃ）に示したように、袋体１を、該袋体１と同様な網材で形成された蓋体１１で閉じるもので、閉じ方は、例えば蓋閉じ用ロープ（不図示）を網目に通して綴じ合わせたり、袋体１、仕切部材２および蓋体１１が熱溶着性樹脂で形成されている場合にあっては加熱溶着するなど他の方法で行っても構わない。
【００３０】
ところで、袋体１には、図１〜図３に示したように、該袋体１の角部やその他の外周部の適所に吊環５、５、・・を設けてもよい。この吊環５によれば、例えば図６に示したように、ロープＲを掛けてクレーンＫで吊り上げることができ、特に、充填材４の充填後に土木用包装体Ａを枠体Ｗから取り出したり水底へ敷設したりする際、取り回しが容易になり使い勝手がよい。
【００３１】
次に、第２の実施例を、図４を参照して説明する。図４（ｃ）、（ｄ）は本発明の土木用包装体Ｂの他の形態を示したもので、網材で形成された小袋６の中に充填材４が充填され、この充填材４が充填された小袋６が閉じられたものを包装体ｂとし、この包装体ｂを複数個直列に連結して隣り合う包装体ｂ、ｂどうしが面状に接合されているものである。
【００３２】
この土木用包装体Ｂは、まず、小袋６に充填材４を充填し、この小袋６を、蓋閉じ用ロープ（不図示）を用いて蓋体６１により閉じて包装体ｂを形成し（図４（ａ）参照）、包装体ｂ、ｂどうしを面状に当接させ（図４（ｂ）参照）、例えば当接面の周縁部およびその他の当接部を縫合用ロープ６２（図４（ｃ）参照）により縫合する。そして、この操作を繰り返して行い、小袋６、６どうしを直列に連結して作製される。なお、包装体ｂは略三角柱状または略四角柱状であって軸方向に長手形状であり、包装体ｂ、ｂどうしは短手方向において隣り合っているようにするのが好ましい。小袋６や蓋体６１の網材の構成および充填材４の構成、充填方法などについては第１の実施例のものと同じであるため、その詳細な説明は省略する。
【００３３】
ところで、上述した第１および第２の実施例の土木用包装体Ａ（Ｂ）には、該土木用包装体Ａ（Ｂ）を少なくとも２個以上連結して用いることができるように、袋体１の一端部に係止部材７１を設け、袋体１の一端部とは反対側の他端部に他の土木用包装体Ａ（Ｂ）の係止部材７１に係止可能な被係止部材７２を設けることができる。
【００３４】
図５（ａ）、（ｂ）、（ｃ）は係止部材７１および被係止部材７２が設けられた土木用包装体Ａ（Ｂ）を図示したもので、図５（ａ）はファスナー（耐食性や強度を確保できれば鉄メッキ製、ステンレス製、樹脂製など各種部材を使用可能であるが、特にポリエステル樹脂製またはステンレス製のものが好ましい。）を用いたものを、図５（ｂ）は紐体の係止部材と環状体の被係止部材とを用いたものを、図５（ｃ）は係止部材７１および被係止部材７２を環状体とし、これら環状体の環内に紐体７３を挿通したものをそれぞれ示している。これら係止部材７１および被係止部材７２は、土木用包装体Ａ（Ｂ）どうしを面接触させて係止できるように、例えば、当接面の外周部およびその他の当接部に設けることができる。ここで、土木用包装体Ａ（Ｂ）どうしを面接触させて係止できるようにするのは、隣接する土木用包装体Ａ（Ｂ）の間を介して構造体下方の砂等が吸い出されるのを防止するためである。なお、これら係止部材７１および被係止部材７２は、例えば図５（ｄ）、（ｅ）に示したように、対向する部位のそれぞれに設けてもよい。
【００３５】
次に、第３の実施例を、図７、８を参照して説明する。この実施例は、砂地等の河川や海岸に付設させる堤体などの構造物の下方に敷設され、前述の土木用包装体Ａ（Ｂ）を一個または複数個連結して用いる水底敷設物に関するもので、図７において、Ｃは水底敷設物を示しており、水底敷設物Ｃは、概略的に、土木用包装体Ａ（Ｂ）と、端部包装体８とにより構成されている。
【００３６】
土木用包装体Ａ（Ｂ）は、一個または複数個連結して用いるもので、連結して用いる場合にあっては、上述したような係止部材７１と被係止部材７２とにより土木用包装体Ａ（Ｂ）どうしが接続される。
【００３７】
端部包装体８は、端部に位置する土木用包装体Ａ（Ｂ）に接続されるものであり、
図８に示したように、網材で形成された外装部材８１と、この外装部材８１の内部に充填され、土木用包装体Ａ（Ｂ）に充填されている充填材４の粒径よりも大きな粒径の端部充填材８２（具体的には、粒径２００ｍｍ〜５００ｍｍ程度）とを有する。また、端部包装体８の取り回しを容易にするために、外装部材８１の外周部の適所にクレーン吊り上げ用の吊環８３、８３、・・を設けてもよい。なお、外装部材８１の網材の構成および充填材の構成、充填方法は実施例１のものと同じであるため詳細な説明は省略する。なお、端部包装体８と土木用包装体Ａ（Ｂ）とは、例えば、両者の網材の網目に接続用ロープ（不図示）を通して接続することができる。
【００３８】
ここで、端部包装体８内の端部充填材８２の粒径を土木用包装体Ａ（Ｂ）内の充填材４の粒径よりも大きなものとしたのは、充填材の大径化により端部包装体８の沈降速度を速めるためであり、その作用効果の説明は後述とする。
【００３９】
次に、上述したような土木用包装体Ａ（Ｂ）および水底敷設物Ｃの敷設方法について、図９〜図１１を参照して説明する。図９はクレーン船による土木用包装体Ａ（Ｂ）および水底敷設物Ｃの敷設過程を示したものであり、例えば、これらの一端をクレーンのフックに掛け、この一端と反対側の他端を水底Ｌの所定の場所へ降ろし、敷き馴らすようにして水底Ｌに敷設する。
【００４０】
図１０は沈設した土木用包装体Ａ（Ｂ）上に構造物Ｓを構築したものを示しており、構造物Ｓとして、図１０（ａ）には垂直護岸を、図１０（ｂ）には離岸堤を、図１０（ｃ）には人工リーフを付設した例を示している。また、図１１は沈設した水底敷設物Ｃ上に構造物Ｓを構築したものを示しており、構造物Ｓとして、図１１（ａ）には垂直護岸を、図１１（ｂ）には離岸堤を、図１１（ｃ）には人工リーフを付設した例を示している。
【００４１】
ここで、土木用包装体Ａ（Ｂ）および水底敷設物Ｃは、図１０（ａ）、（ｂ）、（ｃ）、図１１（ａ）、（ｂ）、（ｃ）に示したように、構造物Ｓの下側だけに限らず、これら土木用包装体Ａ（Ｂ）および水底敷設物Ｃの直近に発生する洗掘が、構造物Ｓの沈下変形を引き起こさないと考えられる範囲まで、該構造物Ｓ下側から延長して敷設するのが好ましい。
【００４２】
また、図１０（ａ）および図１１（ａ）に示したような構造物Ｓ（垂直護岸）にあっては、図１０（ｄ）および図１１（ｄ）に示したように土木用包装体Ａ（Ｂ）上の構造物Ｓ前端付近にコンクリートブロック９、９、・・等を載置し、該構造物Ｓ前端付近で生じる水底の洗掘を防止したり、構造物Ｓの背面（図１０（ｄ）および図１１（ｄ）の構造物Ｓの陸地側）に回り込むように土木用包装体Ａ（Ｂ）を延設し、該構造物Ｓの背面に溜まった雨水等の水を排出するようにしてもよい。
【００４３】
ところで、第３の実施例のように端部包装体８を接続した水底敷設物Ｃにあっては、図１２に示したように、水流による洗掘作用により水底敷設物Ｃ直近の水底Ｌが掘り下げられて洗掘部Ｌ’を生じたとき、この洗掘部Ｌ’において端部包装体８自身が迅速に沈降して水底Ｌ（Ｌ’）へ即時に追従し、この端部包装体８に接続された土木用包装体Ａ（Ｂ）を水底Ｌ（Ｌ’）に迅速かつ確実に導いて水流の水底敷設物Ｃ下側への回り込み及びこれに伴う砂等の吸出しを防止することができ、構造物の沈下をより一層防ぐことができる。
【００４４】
本発明に係る実施例を比較例と比較して以下に示す。なお、効果の確認は、構造物を模擬した模型実験により後記する条件下で行い、構造物等の沈下量を比較して行った。また、以下に示した網目、袋体および外装部材の大きさ、粒径、波高、沈下量等の長さは全て１／２０の尺度（実物大に換算するには下記の各々の数値を２０倍する）で表している。
【００４５】
［実施例１］
網目の大きさ１ｍｍの網材で形成された幅１００ｍｍ×長さ５００ｍｍ×高さ５０ｍｍの直方体形状の袋体内部を横断するように、網目の大きさ１ｍｍの網材で形成された仕切部材により複数の小部屋に区画し、これら区画された小部屋のそれぞれに粒径１．７５ｍｍ〜２．００ｍｍの割栗石からなる充填材を充填し、袋体を閉じて土木用包装体を作製した。なお、小部屋の形状は軸方向に長手形状の略三角柱状とし、小部屋どうしは短手方向において隣り合うように形成した。
そして、得られた土木用包装体を縦３個×横３個接続して平面視矩形状に連結し、砂地の水底に敷設し、これら土木用包装体上に粒径１３〜２０ｍｍの捨石、被覆ブロック、構造物の順で施工し、人工リーフを構築した。
【００４６】
［実施例２］
実施例１の土木用包装体の小部屋の形状を軸方向に長手形状の略四角柱状とし、他は実施例１と同じ構成として土木用包装体を得た。
なお、人工リーフの構築は、実施例１のものと同様にした。
【００４７】
［実施例３］
実施例１の土木用包装体を縦３個×横３個接続して平面視矩形状に連結し、端部に位置する土木用包装体に、網目の大きさ１０ｍｍの網材で形成された幅１００ｍｍ×長さ１５０ｍｍ×高さ５０ｍｍの直方体状の外装部材内に粒径１３ｍｍ〜２０ｍｍの割栗石からなる端部充填材を充填して形成された端部包装体を接続して水底敷設物を得た。
なお、人工リーフの構築は、実施例１のものと同様にした。
【００４８】
［比較例１］
土木用包装体および水底敷設物のいずれをも敷設せず、砂地の水底に粒径１３〜２０ｍｍの捨石、被覆ブロック、構造物の順で施工し、人工リーフを構築した。
【００４９】
［実験条件］
縮尺：１／２０
水底勾配：１／３０
波高：０．６２５ｍ
波周期：２秒
試験時間：６時間
【００５０】
実施例１〜３および比較例１の人工リーフに波を当てて行った試験結果を表１に示す。なお、表１において、「法先」とは土木用包装体または水底敷設物の先端の部位をいい、法先の沈下量は、図１２で示したように、法先において生じる洗掘部Ｌ’の洗掘深さを表している。
【表１】
2010090643.tif 000003
【図面の簡単な説明】
【００５１】
【図１】本発明の第１の実施例に係る土木用包装体の概略図であり、図１（ａ）は斜視図であって便宜上一部を破断し、破断部位の充填材を除去したものを、図１（ｂ）は図１（ａ）のＸ−Ｘ線で切断した断面図をそれぞれ示している。
【図２】図１の作製過程を説明するための概略的斜視図であり、図２（ａ）、図２（ｂ）、図２（ｃ）の順で作製するものである。
【図３】図１の変形例を示した概略図であり、図３（ａ）は斜視図であって便宜上一部を破断し、破断部位の充填材を除去したものを、図３（ｂ）は図３（ａ）のＹ−Ｙ線で切断した断面図をそれぞれ示している。
【図４】本発明の第２の実施例に係る土木用包装体の概略図であり、図４（ａ）、図４（ｂ）は作製過程を示した斜視図を、図４（ｃ）は土木用包装体の概略的斜視図を、図４（ｄ）は図４（ｃ）のＺ−Ｚ線で切断した断面図をそれぞれ示している。
【図５】図１、図３もしくは図４の土木用包装体に係止部材および被係止部材を設けたものであり、図５（ａ）はファスナーとした例を、図５（ｂ）は紐体および環状体とした例を、図５（ｃ）は環状体とした例を、図５（ｄ）および図５（ｅ）は連結部位の変形例をそれぞれ示している。
【図６】図１、図３もしくは図４の土木用包装体をクレーンで吊り上げた状態を示している。
【図７】第３の実施例に係る水底敷設物を示した概略的斜視図である。
【図８】図７の端部包装体を拡大して示した概略的斜視図である。
【図９】図１、図３もしくは図４の土木用包装体または図７の水底敷設物の敷設過程を示した概略図である。
【図１０】図１、図３もしくは図４の土木用包装体の敷設状態を示した概略図であり、図１０（ａ）は構造物が垂直護岸であるときの図を、図１０（ｂ）は構造物が離岸堤であるときの図を、図１０（ｃ）は構造物が人工リーフであるときの図を、図１０（ｄ）は図１０（ａ）の他の例をそれぞれ示している。
【図１１】図７の水底敷設物の敷設状態を示した概略図であり、図１１（ａ）は構造物が垂直護岸であるときの図を、図１１（ｂ）は構造物が離岸堤であるときの図を、図１１（ｃ）は構造物が人工リーフであるときの図を、図１１（ｄ）は図１１（ａ）の他の例をそれぞれ示している。
【図１２】図７の水底敷設物の作用効果を説明するための概略図であり、構造物が垂直護岸であるときの図を示している。
【符号の説明】
【００５２】
Ａ、Ｂ      土木用包装体
Ｃ          水底敷設物
１          袋体
２          仕切部材
３          小部屋
４          充填材
６          小袋
７１        係止部材
７２        被係止部材
８          端部包装体
８１        外装部材
８２        端部充填材
【図１】
2010090643.tif 000004
【図２】
2010090643.tif 000005
【図３】
2010090643.tif 000006
【図４】
2010090643.tif 000007
【図５】
2010090643.tif 000008
【図６】
2010090643.tif 000009
【図７】
2010090643.tif 000010
【図８】
2010090643.tif 000011
【図９】
2010090643.tif 000012
【図１０】
2010090643.tif 000013
【図１１】
2010090643.tif 000014
【図１２】
2010090643.tif 000015